(57)【要約】【課題】ユーザの負担を軽減し、効率よく画像検索を行う。【解決手段】高速コマ送り表示時に、十字カーソルボタン５６Ｄの右のボタン押下が所定時間以上継続している場合には、画像番号をインクリメントして、画像番号に対応した次の画像ファイルの画像データを読み出す。読み出した画像ファイルの連写タグ領域７０Ｅを参照して、単写撮影されたコマまたは連写撮影された複数コマの先頭コマのいずれかであると判断した場合には、サムネイル画像をＬＣＤ３８に表示して、次の画像ファイルの画像データを読み出す。単写撮影されたコマ及び連写撮影された複数コマの先頭コマ以外のコマの場合には、サムネイル画像を表示することなく次の画像ファイルの画像データを読み出す。【選択図】図６
2009088767.tif 000002
【特許請求の範囲】
【請求項１】
画像データに基づいた画像を表示する表示手段と、
前記表示手段への前記画像の表示を指示する指示手段と、
前記指示手段によって高速コマ送り表示が指示された場合に、静止画を１コマずつ撮影する単写撮影により得られたコマの画像データ、及び静止画を連続して複数コマ撮影する連写撮影により得られた複数コマから選択した所定コマの画像データに基づいて高速コマ送りで画像を前記表示手段に表示するように制御する制御手段と、
を含む画像表示装置。
【請求項２】
前記制御手段は、連写撮影により得られた複数コマのコマ送り方向の先頭コマを前記所定コマとして選択する請求項１に記載の画像表示装置。
【請求項３】
画像データに基づいた画像を表示する表示手段と、
前記表示手段への前記画像の表示を指示する指示手段と、
前記指示手段によって高速コマ送り表示が指示された場合に、静止画を１コマずつ撮影する単写撮影により得られたコマの画像データ、及び静止画を連続して複数コマ撮影する連写撮影により得られた複数コマの画像データに基づいて、高速コマ送りで画像を前記表示手段に表示するように制御すると共に、連写撮影により得られた複数コマを表示する場合にはコマ送り方向の先頭コマと該先頭コマ以外のコマとの表示が異なるように制御する制御手段と、
を含む画像表示装置。
【請求項４】
前記制御手段は、前記先頭コマの表示時間が、前記先頭コマ以外のコマの表示時間よりも長くなるように制御する請求項３に記載の画像表示装置。
【請求項５】
前記制御手段は、前記先頭コマの表示の色及び明るさの少なくとも一方と、前記先頭コマ以外のコマの表示の色及び明るさの少なくとも一方が異なるように制御する請求項３に記載の画像表示装置。
【請求項６】
前記表示手段に表示する画像は、サムネイル画像である請求項１〜請求項５のいずれか１項に記載の画像表示装置。
【請求項７】
画像データに基づいた画像を高速コマ送り表示で表示手段へ表示するよう指示するステップと、
前記画像の高速コマ送り表示が指示された場合に、静止画を１コマずつ撮影する単写撮影により得られたコマの画像データ、及び静止画を連続して複数コマ撮影する連写撮影により得られた複数コマから選択した所定コマの画像データに基づいて高速コマ送りで画像を前記表示手段に表示するステップと、
を含む画像表示方法。
【請求項８】
画像データに基づいた画像を高速コマ送り表示で表示手段へ表示するよう指示するステップと、
前記画像の高速コマ送り表示が指示された場合に、静止画を１コマずつ撮影する単写撮影により得られたコマの画像データ、及び静止画を連続して複数コマ撮影する連写撮影により得られた複数コマの画像データに基づいて、高速コマ送りで画像を前記表示手段に表示すると共に、連写撮影により得られた複数コマを表示する場合にはコマ送り方向の先頭コマと該先頭コマ以外のコマとの表示が異なるようにするステップと、
を含む画像表示方法。
【請求項９】
コンピュータを、
高速コマ送りで表示手段に画像を表示することが指示されたか否かを判断する判断手段と、
前記判断手段により高速コマ送り表示が指示されたと判断された場合に、静止画を１コマずつ撮影する単写撮影により得られたコマの画像データ、及び静止画を連続して複数コマ撮影する連写撮影により得られた複数コマから選択した所定コマの画像データに基づいて高速コマ送りで画像を前記表示手段に表示するように制御する制御手段と、
して機能させるための画像表示プログラム。
【請求項１０】
コンピュータを、
高速コマ送りで表示手段に画像を表示することが指示されたか否かを判断する判断手段と、
前記判断手段により高速コマ送り表示が指示されたと判断された場合に、静止画を１コマずつ撮影する単写撮影により得られたコマの画像データ、及び静止画を連続して複数コマ撮影する連写撮影により得られた複数コマの画像データに基づいて、高速コマ送りで画像を前記表示手段に表示するように制御すると共に、連写撮影により得られた複数コマを表示する場合にはコマ送り方向の先頭コマと該先頭コマ以外のコマとの表示が異なるように制御する制御手段と、
して機能させるための画像表示プログラム。
【発明の詳細な説明】
【技術分野】
【０００１】
本発明は、画像表示装置、画像表示方法、及び画像表示プログラムに関する。
【背景技術】
【０００２】
デジタルカメラで撮影した画像の画像データを記録媒体に記録することが行われているが、記録媒体の大容量化、及びデジタルカメラの連写撮影機能の充実により、１つの記録媒体に、連写撮影された画像データも含め大量の画像データを記録することが可能となっている。
【０００３】
記録媒体に記録された画像データに基づく画像を再生してユーザが確認する場合、記録媒体に記録された画像データに基づく画像を１コマずつ順次切り替えて表示する、所謂コマ送りにより確認したい画像を検索して表示することによって行うが、記録媒体に大量の画像データが記録されている場合には、所望の画像が表示されるまでに長い時間を要してしまう場合がある。
【０００４】
そこで、画像データに基づく画像をコマ送りで表示する際の画像をサムネイル画像または低解像度画像に変換し、１つの画像データに基づく画像を表示するまでにかかる時間を短縮して、コマ送りのスピードを高速化することにより、画像検索の効率を向上させる画像表示装置が提案されている（例えば、特許文献１、特許文献２）。
【特許文献１】米国特許６２７８４４７号公報
【特許文献２】米国特許５９３３１３７号公報
【発明の開示】
【発明が解決しようとする課題】
【０００５】
しかしながら、特許文献１及び特許文献２の画像表示装置でコマ送りのスピードを高速化することはできるが、あまり高速化しすぎると、ユーザにとって所望の画像を見つけることが困難となり、かえってユーザの負担となる。
【０００６】
また、連写撮影された画像データに基づく画像をコマ送りで表示すると、ある程度シーンが類似した画像が連写撮影された枚数分続いて表示されることとなるが、それがユーザの所望する画像でない場合には、確認する必要がない画像を何枚もコマ送りしなければならず、ユーザにとって負担となる。
【０００７】
本発明は、上記問題を解決すべく成されたもので、ユーザの負担を軽減し、効率よく画像検索を行うことができる画像表示装置、画像表示方法、及び画像表示プログラムを提供することを目的とする。
【課題を解決するための手段】
【０００８】
上記目的を達成するために、画像データに基づいた画像を表示する表示手段と、前記表示手段への前記画像の表示を指示する指示手段と、前記指示手段によって高速コマ送り表示が指示された場合に、静止画を１コマずつ撮影する単写撮影により得られたコマの画像データ、及び静止画を連続して複数コマ撮影する連写撮影により得られた複数コマから選択した所定コマの画像データに基づいて高速コマ送りで画像を前記表示手段に表示するように制御する制御手段と、を含むものである。
【０００９】
指示手段により画像の表示が指示されると、画像データに基づいた画像を表示手段に表示する。指示手段により高速コマ送り表示が指示された場合に、制御手段は、単写撮影により得られたコマの画像データ、及び連写撮影により得られた複数コマから選択した所定コマの画像データに基づいて高速コマ送りで画像を表示するように制御する。
【００１０】
このように、高速コマ送り表示時に、連写撮影された複数コマのうち、所定コマ以外のコマの表示を行わないため、ユーザの負担を軽減し、効率よく画像検索を行うことができる。
【００１１】
また、本発明の制御手段は、連写撮影により得られた複数コマのコマ送り方向の先頭コマを前記所定コマとして選択するようにすることもできる。
【００１２】
また、本発明の画像表示装置は、画像データに基づいた画像を表示する表示手段と、前記表示手段への前記画像の表示を指示する指示手段と、前記指示手段によって高速コマ送り表示が指示された場合に、静止画を１コマずつ撮影する単写撮影により得られたコマの画像データ、及び静止画を連続して複数コマ撮影する連写撮影により得られた複数コマの画像データに基づいて、高速コマ送りで画像を前記表示手段に表示するように制御すると共に、連写撮影により得られた複数コマを表示する場合にはコマ送り方向の先頭コマと該先頭コマ以外のコマとの表示が異なるように制御する制御手段と、を含むものである。
【００１３】
指示手段により高速コマ送り表示が指示された場合に、制御手段は、単写撮影により得られたコマの画像データ、及び連写撮影により得られた複数コマの画像データに基づいて、高速コマ送りで画像を表示手段に表示するように制御する。このとき、連写撮影により得られた複数コマを表示する場合にはコマ送り方向の先頭コマと該先頭コマ以外のコマとの表示が異なるように制御する。
【００１４】
このように、高速コマ送り表示時に、連写撮影されたコマについては、連写撮影された複数コマのコマ送り方向の先頭コマと先頭コマ以外のコマとの表示が異なることにより、ユーザの負担を軽減し、効率よく画像検索を行うことができる。
【００１５】
また、本発明の制御手段は、前記先頭コマの表示時間が、前記先頭コマ以外のコマの表示時間よりも長くなるようにしたり、前記先頭コマの表示の色及び明るさの少なくとも一方と、前記先頭コマ以外のコマの表示の色及び明るさの少なくとも一方が異なるようにしたりすることもできる。
【００１６】
また、本発明の前記表示手段に表示する画像は、サムネイル画像とすることができる。
【００１７】
また、本発明の画像表示方法は、画像データに基づいた画像を高速コマ送り表示で表示手段へ表示するよう指示するステップと、前記画像の高速コマ送り表示が指示された場合に、静止画を１コマずつ撮影する単写撮影により得られたコマの画像データ、及び静止画を連続して複数コマ撮影する連写撮影により得られた複数コマから選択した所定コマの画像データに基づいて高速コマ送りで画像を前記表示手段に表示するステップと、を含むものである。
【００１８】
また、本発明の画像表示方法は、画像データに基づいた画像を高速コマ送り表示で表示手段へ表示するよう指示するステップと、前記画像の高速コマ送り表示が指示された場合に、静止画を１コマずつ撮影する単写撮影により得られたコマの画像データ、及び静止画を連続して複数コマ撮影する連写撮影により得られた複数コマの画像データに基づいて、高速コマ送りで画像を前記表示手段に表示すると共に、連写撮影により得られた複数コマを表示する場合にはコマ送り方向の先頭コマと該先頭コマ以外のコマとの表示が異なるようにするステップと、を含むものである。
【００１９】
また、本発明の画像表示プログラムは、コンピュータを、高速コマ送りで表示手段に画像を表示することが指示されたか否かを判断する判断手段と、前記判断手段により高速コマ送り表示が指示されたと判断された場合に、静止画を１コマずつ撮影する単写撮影により得られたコマの画像データ、及び静止画を連続して複数コマ撮影する連写撮影により得られた複数コマから選択した所定コマの画像データに基づいて高速コマ送りで画像を前記表示手段に表示するように制御する制御手段と、して機能させるものである。
【００２０】
また、本発明の画像表示プログラムは、コンピュータを、高速コマ送りで表示手段に画像を表示することが指示されたか否かを判断する判断手段と、前記判断手段により高速コマ送り表示が指示されたと判断された場合に、静止画を１コマずつ撮影する単写撮影により得られたコマの画像データ、及び静止画を連続して複数コマ撮影する連写撮影により得られた複数コマの画像データに基づいて、高速コマ送りで画像を前記表示手段に表示するように制御すると共に、連写撮影により得られた複数コマを表示する場合にはコマ送り方向の先頭コマと該先頭コマ以外のコマとの表示が異なるように制御する制御手段と、して機能させるものである。
【発明の効果】
【００２１】
以上説明したように本発明によれば、ユーザの負担を軽減し、効率よく画像検索を行うことができる、という効果が得られる。
【発明を実施するための最良の形態】
【００２２】
以下、図面を参照して本発明の実施の形態を詳細に説明する。
【００２３】
（第１の実施の形態）
本実施の形態では、本発明の画像表示装置をデジタルカメラに設けた場合について説明する。まず、図１を参照して、本実施の形態に係るデジタルカメラ１０の外観上の構成を説明する。
【００２４】
デジタルカメラ１０の正面には、被写体像を結像させるためのレンズ１２と、撮影する被写体の構図を決定するために用いられるファインダ６０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００２５】
なお、本実施の形態に係るレリーズボタン５６Ａは、中間位置まで押下される状態（以下、「半押し状態」という。）と、中間位置を超えた最終押下位置まで押下される状態（以下、「全押し状態」という。）と、の２段階の押圧操作が検出可能に構成されている。
【００２６】
本実施の形態に係るデジタルカメラ１０では、レリーズボタン５６Ａを半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００２７】
なお、本実施の形態に係るデジタルカメラ１０では、撮影モードとして、静止画撮影モードと動画撮影モードとが用意されており、さらに静止画撮影モードとして、静止画を１コマずつ撮影する単写撮影モードと静止画を連続して複数コマ撮影する連写撮影モードが用意されている。単写撮影モードでは、レリーズボタン５６Ａを押下する毎に１枚の撮影を行い、連写撮影モードでは、レリーズボタン５６Ａが押下されたタイミングで撮影を開始し、押下が継続している間、所定時間間隔で連続して撮影を行い、押下が解除されたタイミングで撮影を終了する。
【００２８】
また、デジタルカメラ１０の背面には、前述のファインダ６０の接眼部と、撮影によって得られたデジタル画像データに基づいた画像や各種メニュー画面、メッセージ等を表示するための液晶ディスプレイ（以下、「ＬＣＤ」という。）３８と、撮影を行うモードである撮影モード及び撮影によって得られたデジタル画像データに基づいた画像をＬＣＤ３８に表示（再生）するモードである再生モードの何れかのモードに設定するためにスライド操作されるモード切替スイッチ５６Ｃと、ＬＣＤ３８の表示領域における上・下・左・右の４方向の移動方向を示す４つの矢印キーを含んで構成された十字カーソルボタン５６Ｄと、が備えられている。
【００２９】
また、デジタルカメラ１０の背面には、ＬＣＤ３８にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００３０】
次に、図２を参照して、本実施の形態に係るデジタルカメラ１０の電気系の構成を説明する。
【００３１】
デジタルカメラ１０は、前述のレンズ１２を含んで構成された光学ユニット２２と、レンズの光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３２】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３３】
なお、デジタル信号処理部３０は、所定容量のラインバッファを内蔵し、入力されたデジタルデータを後述するメモリ４８の所定領域に直接記憶させる制御も行う。
【００３４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３５】
また、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データや後述する各種処理ルーチンのプログラム等を記憶するメモリ４８と、メモリ４８に対するアクセスの制御を行うメモリインタフェース４６と、を含んで構成されている。
【００３６】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３７】
なお、本実施の形態のデジタルカメラ１０では、メモリ４８としてＶＲＡＭ（Ｖｉｄｅｏ  ＲＡＭ）、ＳＲＡＭ又はＤＲＡＭ、フラッシュメモリなどが用いられ、メモリカード５２としてｘＤピクチャカード（登録商標）が用いられている。
【００３８】
また、本実施の形態に係るデジタルカメラ１０はＥｘｉｆ（Ｅｘｃｈａｎｇｅａｂｌｅ  Ｉｍａｇｅ  Ｆｉｌｅ  Ｆｏｒｍａｔ）規格に対応しており、撮影によって得られたデジタル画像データはＥｘｉｆ規格の電子化ファイル（画像ファイル）としてメモリカード５２に記録される。そして、メニューキー５６Ｅの押圧操作に応じてＬＣＤ３８に表示されるメニュー画面上でＥｘｉｆ規格の画像ファイルに含まれるタグ領域に記憶したい情報を予め設定しておくことにより、それ以降の撮影によって得られた画像ファイルのタグ領域に当該情報を記憶することができる。
【００３９】
すなわち、図３に示すように、本実施の形態に係るデジタルカメラ１０において、撮影により得られてメモリカード５２に記録される画像ファイル７０はＥｘｉｆ規格に対応しているため、スタートコード領域７０Ａ、タグ領域７０Ｂ、サムネイル画像領域７０Ｃ、及び本画像領域７０Ｄが含まれている。ここで、タグ領域７０Ｂは連写タグ領域７０Ｅを有しており、連写タグ領域７０Ｅには、連写撮影の何コマ目の画像データであるかを示す連写番号が記憶されることになる。なお、単写撮影の場合は、連写番号は「０」となる。
【００４０】
なお、タグ領域７０Ｂに記憶可能な情報として、本実施の形態では、画像ファイルを得るための撮影に関する撮影情報（ストロボの発光／未発光を示す情報、絞りの状態を示す情報、撮影日時を示す情報等）や、デジタルカメラ１０で設定されていた撮影条件（マニュアル撮影、オート撮影、プログラム撮影、マクロ撮影、移動体撮影、夜景撮影、人物撮影等）を示す情報等が予め設定できるものとして構成されている。
【００４１】
デジタル信号処理部３０、ＬＣＤインタフェース３６、ＣＰＵ４０、メモリインタフェース４６、外部メモリインタフェース５０、及び圧縮・伸張処理回路５４は、システムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６、外部メモリインタフェース５０を介したアクセスを各々行うことができる。
【００４２】
また、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４３】
更に、デジタルカメラ１０にはモータ駆動部３４が備えられており、光学ユニット２２に備えられた図示しない焦点調整モータ、ズームモータ、及び絞り駆動モータの駆動もＣＰＵ４０によりモータ駆動部３４を介して制御される。
【００４４】
すなわち、本実施の形態に係るレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４５】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ、キャンセルキー５６Ｇ（図２では、「操作部５６」と総称。）はＣＰＵ４０に接続されており、ＣＰＵ４０は、これらの操作部５６に対する操作状態を常時把握する。
【００４６】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４７】
次に、図４を参照して、本実施の形態に係るデジタルカメラ１０の撮影時の処理ルーチンについて説明する。電源スイッチ５６Ｂが操作されて、電源がオンされることにより本ルーチンをスタートする。
【００４８】
ステップ１００で、モード切替スイッチ５６Ｃの切り替えにより、撮影モードが選択されたか否かを判断する。撮影モードが選択された場合には、ステップ１０２へ進み、撮影モードが選択されない場合には、再生モードが選択されたとして、ステップ１２０へ進む。
【００４９】
ステップ１０２で、ＬＣＤ３８に、ＣＣＤ２４による連続的な撮像によって得られた動画像（スルー画像）を表示する。スルー画像を表示するには、光学ユニット２２を介してＣＣＤ２４に結像した被写体像を示すＲ（赤）、Ｇ（緑）、Ｂ（青）毎のアナログ信号をアナログ信号処理部で相関二重サンプリング処理等のアナログ信号処理を施した後にＡＤＣ２８に順次出力する。ＡＤＣ２８は、アナログ信号処理部２６から入力されたＲ、Ｇ、Ｂ毎のアナログ信号を各々１２ビットのＲ、Ｇ、Ｂのデジタル信号に変換してデジタル信号処理部３０に順次出力し、デジタル信号処理部３０は、ホワイトバランス調整を行なうと共に、ガンマ処理及びシャープネス処理を行なって所定ビット、例えば８ビットのデジタル画像データを生成し、ＹＣ信号処理を施して輝度信号Ｙとクロマ信号Ｃｒ、Ｃｂ（以下、「ＹＣ信号」という。）を生成し、生成したＹＣ信号をメモリ４８の所定領域に格納し、ＬＣＤインタフェース３６を介して順次ＬＣＤ３８に出力する。
【００５０】
次に、ステップ１０４で、レリーズボタン５６Ａが半押し状態となったか否かを判断する。半押し状態となった場合には、ステップ１０６へ進み、半押し状態とならない場合には、半押し状態となるまで待機する。
【００５１】
ステップ１０６で、ＡＥ機能により露出状態を設定した後、ＡＦ機能により合焦制御を行い、次のステップ１０８へ進み、レリーズボタン５６Ａが全押し状態となったか否かを判断する。全押し状態となった場合には、ステップ１１０へ進み、全押し状態とならない場合には、全押し状態となるまで待機する。
【００５２】
ステップ１１０で、ステップ１０８でレリーズボタン５６Ａが全押しされた時点でメモリ４８に格納されている画像データ（ＹＣ信号）を取得し、圧縮・伸張処理回路５４によって所定の圧縮形式（本実施の形態では、ＪＰＥＧ形式）に圧縮し、一旦メモリ４８の所定領域へ格納する。
【００５３】
次に、ステップ１１２で、連写撮影モードが選択されているか否かを判断する。連写撮影モードは、静止画撮影モード選択中にメニューキー５６Ｅを押下して、ＬＣＤ３８にメインメニューを表示し、十字カーソルボタン５６Ｄ及び実行キー５６Ｆを操作することにより選択することができる。また、モード切替スイッチ５６Ｃを切り替えて設定することにより、選択できるように構成してもよい。連写撮影モードが選択されていない場合には、ステップ１１８へ進む。
【００５４】
連写撮影モードが選択されている場合には、ステップ１１４へ進んで、レリーズボタン５６Ａの押下が解除されたか否かを判断する。解除されていない場合は、ステップ１１６へ進んで、前のコマの撮影時から所定時間経過した時点でメモリ４８に格納されている画像データの取得、圧縮を行い、メモリ４８の前のコマの画像データを格納したのとは異なる所定領域へ一旦格納する。ステップ１１４、及びステップ１１６をレリーズボタン５６Ａの押下が解除されるまで繰り返す。これによって連写撮影モードの場合には、レリーズボタン５６Ａが全押しされている間に複数コマ画像が取り込まれる。
【００５５】
次に、ステップ１１８で、メモリ４８に格納された画像データを読み出して、Ｅｘｉｆ規格の画像ファイルとしてメモリカード５２へ記録する。画像ファイルの連写タグ領域７０Ｅには、連写番号が記憶される。また、画像ファイルには、撮影日時の古い順に画像番号が付与される。
【００５６】
次に、図５を参照して、本実施の形態の再生モードの処理ルーチンについて説明する。
【００５７】
ステップ２００で、メモリカード５２に記録されている画像ファイルのうち、撮影日時が最新（画像番号が最大）の画像ファイルの画像データを読み出し、圧縮・伸張処理回路５４にて伸張処理を施してから、ＬＣＤ３８に表示する。
【００５８】
次に、ステップ２０２で、十字カーソルボタン５６Ｄの右または左のいずれかが押下されたか否か判断する。押下された場合は、ステップ２０４へ進み、十字カーソルボタン５６Ｄが所定時間以上（例えば、２秒以上）継続して押下されているか否かを判断する。所定時間以上継続して押下されている場合は、ステップ２０６へ進み、後述する高速コマ送り表示の処理を実行する。
【００５９】
所定時間以上継続して押下されていない場合は、通常のコマ送り操作が行われたとして、次のステップ２０８へ進み、右のボタンが押下された場合は、画像番号をインクリメントして、また、左のボタンが押下された場合は、画像番号をデクリメントして、画像番号に対応した次の画像ファイルの画像データを読み出す。
【００６０】
次に、ステップ２１０で、読み出した画像データのサムネイル画像をＬＣＤ３８に所定時間（例えば、０．５秒）表示した後、ステップ２１２で表示したサムネイル画像に対応する本画像を表示して、ステップ２０２へ戻る。
【００６１】
ステップ２０２で、十字カーソルボタン５６Ｄが押下されていない場合には、ステップ２１４で、再生モードを終了するか否かを判断する。モード切替スイッチ５６Ｃが撮影モードに切り替えられた場合は、再生モードを終了する。再生モードを終了しない場合は、ステップ２０２へ戻る。
【００６２】
次に、図６を参照して、本実施の形態の高速コマ送り表示の処理ルーチンについて説明する。
【００６３】
十字カーソルボタン５６Ｄの右のボタンが所定時間継続して押下された場合には、撮影された順、すなわち順方向に画像が高速コマ送り表示される。これにより、連写撮影の場合には連写撮影で最初に撮影された画像コマから順に表示される。一方、十字カーソルボタン５６Ｄの左のボタンが所定時間継続して押下された場合には、撮影された順と逆方向に、画像が高速コマ送りで表示される。これにより、連写撮影の場合には連写撮影で最後に撮影された画像コマから順に遡って表示される。
【００６４】
具体的には、ステップ３００で、十字カーソルボタン５６Ｄの右のボタンが所定時間継続して押下されている場合には、画像番号をインクリメントして、左のボタンが所定時間継続して押下されている場合には、画像番号をデクリメントして、画像番号に対応した次の画像ファイルの画像データを読み出し、次のステップ３０２で、読み出した画像データのサムネイル画像をＬＣＤ３８に所定時間（例えば、０．５秒）表示する。
【００６５】
次に、ステップ３０４で、十字カーソルボタン５６Ｄの押下が継続しているか否かを判断する。継続している場合には、ステップ３０６へ進んで、十字カーソルボタン５６Ｄの右のボタンの押下が継続している場合には、画像番号をインクリメントして、左のボタンの押下が継続している場合には、画像番号をデクリメントして、画像番号に対応した次の画像ファイルの画像データを読み出す。
【００６６】
次に、ステップ３０８で、読み出した画像ファイルの連写タグ領域７０Ｅを参照して、読み出した画像ファイルの画像データが単写撮影されたコマか、または連写撮影された複数コマのコマ送り方向の先頭コマか否かを判断する。順方向の高速コマ送り表示の場合には、連写番号が「０」であれば単写撮影されたコマであり、連写番号が「１」であればコマ送り方向の先頭コマであるとして判断する。逆方向の高速コマ送り表示の場合には、連写番号が「０」であれば、順方向の場合と同様に単写撮影されたコマであり、連写番号が「２」以上であり、かつ、直前のコマの連写番号が「０」もしくは「１」の場合は、コマ送り方向の先頭コマであるとして判断する。
【００６７】
単写撮影のコマ及び連写撮影のコマ送り方向の先頭コマの場合には、次のステップ３１０へ進んで、サムネイル画像をＬＣＤ３８に表示して、ステップ３０４へ戻る。単写撮影のコマ及び連写撮影された複数コマの先頭コマ以外のコマの場合には、サムネイル画像を表示することなく、そのままステップ３０４へ戻る。
【００６８】
サムネイル画像表示中に十字カーソルボタン５６Ｄの押下が解除された場合は、ステップ３０４で否定されて、ステップ３１２へ進み、表示中のサムネイル画像を所定時間表示した後、サムネイル画像に対応する本画像を表示する。
【００６９】
例えば、メモリカード５２に、図７に示すように、画像番号１（ファイル名：ＤＳＣＦ０００１．ＪＰＧ）〜画像番号１０（ファイル名：ＤＳＣＦ００１０．ＪＰＧ）の画像ファイルが記録されているとする。ファイル名の右のかっこ書きの数字符号が連写番号であり、画像番号１、及び画像番号１０の画像ファイルの画像データは単写撮影により得られた画像データ、画像番号２〜６、及び画像番号７〜９の画像ファイルの画像データは各々連写撮影により得られた画像データであることを表している。
【００７０】
図８に示すように、十字カーソルボタン５６Ｄの右のボタンの押下が所定時間以上継続し、順方向の高速コマ送り表示が指示されると、連写番号「０」の画像番号１のサムネイル画像を表示し、次に、連写番号「１」の画像番号２のサムネイル画像を表示する。次の画像番号３〜６は、連写番号が「０」または「１」のいずれでもない、すなわち、連写撮影された画像の先頭コマではない他のコマであるので、サムネイル画像を表示することなくステップ３０４へ戻る。次の画像番号７は、連写番号が「１」であるので、サムネイル画像を表示し、次の画像番号８〜９は、連写番号が「０」または「１」のいずれでもないので、サムネイル画像を表示することなくステップ３０４へ戻る。次の画像番号１０は、連写番号が「０」であるので、サムネイル画像を表示する。
【００７１】
画像番号１０のサムネイル画像表示中に、十字カーソルボタン５６Ｄの押下が解除されたので、画像番号１０のサムネイル画像を所定時間表示した後、画像番号１０の本画像を表示する。
【００７２】
このように、高速コマ送り表示時には、単写撮影されたコマ及び連写撮影された複数コマの先頭コマ以外のコマのサムネイル画像を表示しないので、シーンが類似した画像が続く連写撮影されたコマのすべてについて確認する必要がなく、ユーザの負担を軽減し、効率よく画像検索を行うことができる。
【００７３】
なお、本実施の形態では、連写撮影された画像の先頭コマ以外のコマのサムネイル画像を表示しない例について説明したが、本発明はこの例に限られず、所定のコマ数分の画像を間引いてサムネイル画像の表示を行ってもよい。例えば、ステップ３０６で、連写撮影されたコマの場合には、連写番号が「偶数」か「奇数」かを判断し、図９に示すように、連写番号が「偶数」の場合には、サムネイル画像を表示しないようにすることもできる。また、連写撮影の複数コマのうち、類似したシーンの中から１つのコマを選択して表示するようにしてもよい。
【００７４】
（第２の実施の形態）
第１の実施の形態では、連写撮影された画像については、選択した所定コマのサムネイル画像を表示する場合を説明したが、第２の実施の形態では、連写撮影された画像については、先頭コマと先頭コマ以外のコマとで、サムネイル画像の表示時間を変更する場合について説明する。なお、第２の実施の形態のデジタルカメラの構成において、上記第１の実施の形態のデジタルカメラ１０の構成と同一の構成、及び同一の処理については同一の符号を付し、その図示及び説明を省略する。
【００７５】
図１０を参照して、第２の実施の形態の高速コマ送りの処理ルーチンについて説明する。
【００７６】
ステップ３０４で、十字カーソルボタン５６Ｄの押下が継続していると判断された場合には、ステップ３０６へ進んで、十字カーソルボタン５６Ｄの右のボタンの押下が継続している場合には、画像番号をインクリメントして、左のボタンの押下が継続している場合には、画像番号をデクリメントして、画像番号に対応した次の画像ファイルの画像データを読み出し、ステップ４００で、サムネイル画像を表示する。
【００７７】
次に、ステップ４０２で、読み出した画像ファイルの連写タグ領域７０Ｅを参照して、読み出した画像ファイルの画像データが単写撮影されたコマか、または連写撮影された複数コマのコマ送り方向の先頭コマか否かを判断する。
【００７８】
単写撮影のコマ及び連写撮影のコマ送り方向の先頭コマの場合には、ステップ４０４で、表示中のサムネイル画像の表示時間を所定時間延長して（例えば、０．５秒延長して合計１秒）、ステップ３０４へ戻る。単写撮影のコマ及び連写撮影された複数コマの先頭コマ以外のコマの場合には、サムネイル画像の表示時間を延長させることなく、標準の所定時間の間サムネイル画像を表示し、ステップ３０４へ戻る。
【００７９】
例えば、メモリカード５２に、図７に示すように、画像番号１〜画像番号１０の画像ファイルが記録されおり、これに対して順方向の高速コマ送り表示を行うと、図１１に示すように、連写番号「０」の画像番号１、及び１０、連写番号「１」の画像番号２、及び７の画像は、サムネイル画像の表示時間が所定時間延長され、連写番号が「０」または「１」のいずれでもない画像番号３〜６、８、及び９の画像は、サムネイル画像を標準の所定時間だけ表示する。
【００８０】
このように、高速コマ送り表示時に、単写撮影されたコマ及び連写撮影された複数コマの先頭コマ以外のコマのサムネイル画像の表示時間より、単写撮影されたコマ及び連写撮影された複数コマの先頭コマのサムネイル画像の表示時間を長くすることで、注意して画像を確認すべき画像の表示時間が長く、その他の画像の表示時間が短くなるので、ユーザの負担を軽減し、効率よく画像検索を行うことができる。
【００８１】
なお、本実施の形態では、単写撮影されたコマ及び連写撮影された複数コマの先頭コマのサムネイル画像の表示時間を延長して表示時間を変更する例について説明したが、連写撮影された画像については、先頭コマ以外のコマのサムネイル画像の表示時間を短縮することで表示時間を変更するようにしてもよい。
【００８２】
（第３の実施の形態）
第２の実施の形態では、連写撮影されたコマについては、先頭コマ以外のコマのサムネイル画像の表示時間より、単写撮影されたコマ及び連写撮影された複数コマの先頭コマのサムネイル画像の表示時間を長くする場合につてを説明したが、第３の実施の形態では、連写撮影されたコマについては、先頭コマ以外のコマのサムネイル画像の表示方法を変更する場合について説明する。なお、第３の実施の形態のデジタルカメラの構成において、上記第１の実施の形態のデジタルカメラ１０の構成と同一の構成、及び同一の処理については同一の符号を付し、その図示及び説明を省略する。
【００８３】
図１２を参照して、第３の実施の形態の高速コマ送りの処理ルーチンについて説明する。
【００８４】
ステップ３０４で、十字カーソルボタン５６Ｄの押下が継続していると判断された場合には、ステップ３０６へ進んで、十字カーソルボタン５６Ｄの右のボタンの押下が継続している場合には、画像番号をインクリメントして、左のボタンの押下が継続している場合には、画像番号をデクリメントして、画像番号に対応した次の画像ファイルの画像データを読み出す。
【００８５】
次に、ステップ３０８で、読み出した画像ファイルの連写タグ領域７０Ｅを参照して、読み出した画像ファイルの画像データが単写撮影されたコマか、または連写撮影された複数コマのコマ送り方向の先頭コマか否かを判断する。
【００８６】
単写撮影のコマ及び連写撮影のコマ送り方向の先頭コマの場合には、ステップ５００で、表示の明るさを標準の明るさに設定して、ステップ３１０へ進み、サムネイル画像を表示して、ステップ３０４へ戻る。単写撮影のコマ及び連写撮影された複数コマの先頭コマ以外のコマの場合には、ステップ５０２へ進んで、表示の明るさをダウンして暗めの設定として、ステップ３１０へ進み、サムネイル画像を表示して、ステップ３０４へ戻る。
【００８７】
例えば、メモリカード５２に、図７に示すように、画像番号１〜画像番号１０の画像ファイルが記録されおり、これに対して順方向の高速コマ送り表示を行うと、図１３に示すように、連写番号「０」の画像番号１、及び１０、連写番号「１」の画像番号２、及び７の画像は、標準の明るさでサムネイル画像が表示され、連写番号が「０」または「１」のいずれでもない画像番号３〜６、８、及び９の画像は、表示明るさをダウンして暗めの明るさでサムネイル画像を表示する。
【００８８】
このように、高速コマ送り表示時に、単写撮影されたコマ及び連写撮影された複数コマの先頭コマのサムネイル画像より、先頭コマ以外のコマのサムネイル画像の表示明るさを暗くすることで、注意して画像を確認すべき画像が明るく、その他の画像が暗くなるので、ユーザの負担を軽減し、効率よく画像検索を行うことができる。
【００８９】
なお、本実施の形態では、表示の明るさを変更することにより、単写撮影されたコマ及び連写撮影された複数コマの先頭コマと、先頭コマ以外のコマとのサムネイル画像の表示方法を変更したが、先頭コマ以外のコマのサムネイル画像をモノクロ表示にするなどで、表示方法を変更してもよい。
【００９０】
上記第１〜第３の実施の形態では、画像ファイルのタグ領域７０Ｂの連写タグ領域７０Ｅに記憶された連写番号を参照して、単写撮影された画像か、連写撮影された画像か、及び連写撮影の何コマ目か、ということを判断したが、これに限られるものではない。例えば、画像ファイルのファイル名によって、単写撮影か連写撮影か等を判断できる場合には、ファイル名を用いてもよい。
【図面の簡単な説明】
【００９１】
【図１】実施の形態に係るデジタルカメラの外観上の構成を示す外観図である。
【図２】実施の形態に係るデジタルカメラの構成を示すブロック図である。
【図３】実施の形態に係る画像ファイルの構成を示す模式図である。
【図４】実施の形態の撮影時の処理ルーチンを示すフローチャートである。
【図５】実施の形態の再生モードの処理ルーチンを示すフローチャートである。
【図６】第１の実施の形態の高速コマ送り表示の処理ルーチンを示すフローチャートである。
【図７】実施の形態の画像ファイルの一例を示す模式図である。
【図８】第１の実施の形態の高速コマ送り表示の処理のタイミングチャートの一例である。
【図９】第１の実施の形態の高速コマ送り表示の処理のタイミングチャートの他の例である。
【図１０】第２の実施の形態の高速コマ送り表示の処理ルーチンを示すフローチャートである。
【図１１】第２の実施の形態の高速コマ送り表示の処理のタイミングチャートの一例である。
【図１２】第３の実施の形態の高速コマ送り表示の処理ルーチンを示すフローチャートである。
【図１３】第３の実施の形態の高速コマ送り表示の処理のタイミングチャートの一例である。
【符号の説明】
【００９２】
１０        デジタルカメラ
３８        液晶ディスプレイ（ＬＣＤ）
４０        ＣＰＵ
５６Ｄ      十字カーソルボタン
７０Ｅ      連写タグ領域
【図１】
2009088767.tif 000003
【図２】
2009088767.tif 000004
【図３】
2009088767.tif 000005
【図４】
2009088767.tif 000006
【図５】
2009088767.tif 000007
【図６】
2009088767.tif 000008
【図７】
2009088767.tif 000009
【図８】
2009088767.tif 000010
【図９】
2009088767.tif 000011
【図１０】
2009088767.tif 000012
【図１１】
2009088767.tif 000013
【図１２】
2009088767.tif 000014
【図１３】
2009088767.tif 000015